(57)【要約】  巻き付き方式のキャリヤー（１０）は、物品グループの周りでキャリヤーのパネル（１０８、１１２）を固定するための連結配置（１２０、１２２、１２４、１２６、１２８、１３０）を含む一方、連結配置の要素及びしたがってパネルの横の動きを制限する。各々の連結配置は、ロックスリット（１６０）に受容されるロックタブ（１４０）を含み、並びに、ロックタブとロックスリットの間の横の運動は、確実にそれらの相対的な位置を固定するようにインターロックする位置合せタブ（１４２）と位置合せレセプタクル（１６４）を使用して抑制される。ロック配列は、連結プロセスの間に、異なる方向に要素を折り畳むことなく達成される。
2013537157.tif 000002
【特許請求の範囲】
【請求項１】
巻き付きキャリヤーを形成するためのブランクであって、
第１パネルと、
第２パネルと、
折り目線に沿って前記第２パネルにヒンジ状に接続される重ねパネルと、
前記第１パネルと前記第２パネルを相互接続するための相互連結構造であって：
前記第１パネルから延在し且つ結合されるロックタブ；
前記ロックタブを受容するロックスリットであって、前記第２パネル及び前記重ねパネルのうちの少なくとも１つにおいて少なくとも部分的に形作られるロックスリット；
前記ロックタブと前記重ねパネルのうちの少なくとも１つにより少なくとも部分的に形作られる位置合せレセプタクル；及び
前記ロックタブと前記重ねパネルのうちのもう一方により少なくとも部分的に形作られる位置合せタブ；
を具備する連結配置と、
を具備するブランク。
【請求項２】
前記ロックスリットは、前記重ねパネルを前記第２パネルにヒンジ状に接続する折り目線に沿って少なくとも部分的に形作られる、請求項１のブランク。
【請求項３】
前記ロックスリットの対向端部は、前記第２パネルに形成され、並びに前記重ねパネルを前記第２パネルにヒンジ状に接続する折り目線から間隔をあけられる、請求項１のブランク。
【請求項４】
前記ロックタブは、折り目線に沿って前記第１パネルにヒンジ状に接続される、請求項１のブランク。
【請求項５】
前記ロックスリットの対向端部は、前記第２パネルに形成され、並びに、前記重ねパネルを前記第２パネルにヒンジ状に接続する折り目線から間隔をあけ、前記折り目線に沿って形作られるロックスリットの部分は、前記ロックタブの幅よりも短い、請求項２のブランク。
【請求項６】
前記ロックスリットは前記重ねパネルの開口部の近位縁部を規定し、前記開口部の遠位端部は前記ロックタブより幅広く、並びに、前記ロックスリットは前記ロックタブの幅より短い、請求項１のブランク。
【請求項７】
前記開口部の遠位端に沿って前記重ねパネルにヒンジ状に接続され、並びに、前記ロックスリットに向かって延在する位置合せフラップをさらに具備する、請求項６のブランク。
【請求項８】
前記位置合せタブは、前記ロックタブと前記第１パネルとの間のヒンジ接続から離れた折り目線に沿って前記第１パネルにヒンジ状に接続され、前記位置合せタブは、前記位置合せタブの遠位端部を前記ロックタブから切り離す捕獲スロットによって形作られる遠位端部を有する、請求項４のブランク。
【請求項９】
前記位置合せレセプタクルは、前記重ねパネルの窪んだ縁部を含み、前記位置合せレセプタクルは、前記ロックスリットと整列され、且つ、前記ロックスリットから間隔を空けられる、請求項８のブランク。
【請求項１０】
前記位置合せタブが前記位置合せフラップの遠位端から延在する、請求項７のブランク。
【請求項１１】
前記位置合せレセプタクルが、一部が前記第１パネルに並びに一部が前記ロックタブに形成される開口部を含む、請求項１０のブランク。
【発明の詳細な説明】
【技術分野】
【０００１】
本願発明は、飲料包装に関し、そして、より詳しくは、重ねパネルの間の横の運動を制限するパネル・ロック手段を備えた巻き付きキャリヤーに関するものである。
【背景技術】
【０００２】
複数の物品を保持して、保存して、運ぶためのカートンは、周知の技術である。たとえば、多くのカートンは複数の飲料容器をグループ化して運ぶことに役立つ一方、可視性と材料使用の効率のために飲料容器を露出させている。
【０００３】
一部のカートンは、整頓されたグループのボトルまたは他の飲料容器のまわりで巻きつくように構成されたキャリヤーである。そのような巻き付きキャリヤーは通常はトップ握りであり、つまり、それらはキャリヤーのトップ壁に形成されるハンドルを使用して上から持ち上げられることができる。巻き付きボトル・キャリヤーは、自動包装機械を使ってキャリヤーが容器の予め整頓されたグループに付けられた後、一緒に機械的にパネルをロックする連結アセンブリをしばしば含む。キャリヤーの下壁は通常は強化なしでボトルの重さを支えなければならないので、キャリヤーが運ばれているとき、キャリヤーのパネルは容器グループの解放又は移動を妨げるために一緒に、しっかりと、そして、確実に、固定されなければならない。
【０００４】
連結配置は、一般に、ロックタブと協力するスリットを含むスライド・ロック・アセンブリを含む。この種のロック装置の例は、特許文献１（米国特許第３，２４９，２８４号明細書）で見られることができる。この例では、典型的なように、ロックタブは、比較的狭いネック部に沿ってカートンのパネルに付けられる頭部を含む。タブは、少なくとも１つの肩部、すなわち、頭部が比較的狭いネックにつながっているところのタブの部分、を含む。カートンの対向パネルに、スリットが形成され、そこにタブが挿入されることができる。挿入に続いて、ロックタブの肩部は、スリットの端部を係合し、タブが抜けるのを防ぎ、それにより連結配置を固定する。
【０００５】
このタイプの連結配置では、スリットの長さは、タブの挿入を許すために、ロックタブの頭部の部分の幅に、等しいか、又は、わずかに大きい。その結果、それがそのネックまで完全に挿入されるとき、タブは横に動かせるかもしれない。そのような横の運動は、スリットからのタブの肩部の解放につながりうる。この理由から、ロックタブの横の動きを制限する手段を提供することは、有利である。ロックタブが横方向の制限がされることができる一つの方法は、ロックタブの対向端部の各々が１つの肩部のみを備えるように、ロックタブの列を配置することで、そのタブの肩のない横縁部が関連するスリットの隣接端部に接するようにして、それによって横の運動から列のすべてのタブを制限する。そのようなアプローチの例は、特許文献２（米国特許第４，７３２，３１６号明細書）で見られることができる。このアプローチの１つの不利な点は、しかし、ロック点の数の減少により、連結配置の固定力が小さくなることである。
【先行技術文献】
【特許文献】
【０００６】
【特許文献１】米国特許第３，２４９，２８４号明細書
【特許文献２】米国特許第４，７３２，３１６号明細書
【発明の概要】
【発明が解決しようとする課題】
【０００７】
したがって、必要とされているのは、不注意による解放に対して連結配置の安全性を増加させる改善された連結配置である。そのような装置は、ロックタブが固定している点の数を減らすことなくロックスリットの範囲内で動くのを抑制することができるべきである。
【課題を解決するための手段】
【０００８】
本願発明は、第１及び第２パネルを連結するために、カートン・パネル連結配置を提供する。連結配置は、効果的にその構成要素の横の動きを制限し、それにより、２つのパネル間の接続の安全性と信頼性を改善する。連結配置は、第１パネルから延在し且つ第１パネルにヒンジ状に接続されるロックタブ、ロックタブを受けるためのロックスリット、位置合せレセプタクルと位置合せタブを含む。ロックスリットは、第１パネルに接続されている第２パネル、及び第２パネルにヒンジ状に接続している重ねパネルの片方又は両方で、少なくとも部分的に、形作られる。ロックスリットは、第２のパネルの前縁に沿って少なくとも部分的に好ましく定められ、重ねパネルとそれらの間のヒンジ状接続部の部分によってさらに形作られることができる。位置合せレセプタクルは、ロックタブ又は重ねパネルのいずれかで形作られる。位置合せタブは、他のロックタブ又は重ねパネルに隣接して形成される。
【０００９】
ロックタブは、その横縁部の各々に沿ってロック肩部を形作る比較的広い頭部を有する。ロックタブの頭部の幅は、そのネックの幅よりかなり大きく、それにより、それは第１パネルに折り畳み可能に接続される。ロックタブの各々の肩部は、ロックタブがロックスリットに受容されるとき、第２のパネルとロックスリットの両側に広がる重ねパネルとの間のヒンジ状の接続の部分を係合するように構成される。
【００１０】
実際、様々な実施形態の１つの態様によれば、頭部は第２パネルと重ねパネル間のヒンジ状接続部と同一の外延であるロックスリットのその部分の長さより少なくともわずかに広い。ロックタブの頭部がロックスリットよりも広いにも関わらず、ロックスリットの構成により、頭部は、ヒンジ状接続部を形作る折り目部を係合するためにロックスリットをまだ通過することができる。
【００１１】
有利に、本発明の様々な実施形態の別の態様によると、この肩部−スリット係合の横の運動は、ロックタブがロックスリットで受容されるとき、位置合せレセプタクルに受容される位置合せタブによっても、さらに制限される。
【００１２】
１つの実施形態において、ロックスリットは、わずかにカーブし、そのようなその対向端部は第２パネルと重ねパネル間のヒンジ状接続部で同一の外延であるよりも第２パネルの上に延在する。従って、第２パネルが重ねパネルに関して折り曲げられるとき、ロックスリットはロックタブに入ることを許すために十分に広いが、第２パネルと重ねパネル間のヒンジ状接続部と同一の外延であるロックスリットの部分は広い頭部よりかなり短い。キャリヤーが直立されるとき、ロックタブの肩部は、第２パネルと重ねパネルの間のヒンジ状接続部により捉えられ、ロックタブは、ロックスリットの構成のためロックスリットから横に又は後ろに部分的に動くことが制限される。
【００１３】
この実施形態では、位置合せタブは、捕獲スロットを形作る切断線に沿って、ロックタブに隣接して形作られる。位置合せタブは、また、少なくとも部分的に定められ、ロックタブ及び第１パネルの間のヒンジ状接続部から離間している折り目線に沿って、第１パネルにヒンジ状に取り付けられる。位置合せレセプタクルは、第２パネルにヒンジ状に接続している重ねパネルで定められて、重ねパネルの窪んだ縁部であることができる。ロックタブとロックスリットは、キャリヤーの直立の間、または、その前に、嵌め合い的に係合されることができる。キャリヤー・パネルがキャリヤーを形成するために直立されるとき、位置合せタブは位置合せレセプタクルに滑り込み、その末端部が捕獲スロットに受容されるまで、それは重ねパネルの下に位置合せタブを導き、それは横の運動に関してロックタブとスリットと重ねパネルの相対的な位置を固定する。
【００１４】
別の実施形態において、ロックスリットは、ロックタブのネックよりも最高でもわずかに広い。それでも、ロックスリットは、ヒンジ状に取り付けられる位置合せフラップを動かすことによって形作られる開口の１つの側を形作るので、ロックタブの頭部と肩部はロックスリットに入ることができる。その最も幅広い点で、開口部はロックタブの上部の最も幅広い点と同じくらい少なくとも広いので、ロックタブの頭部と肩部は、開口部に入ることができて、ロックタブのネックがスリットの端縁部によって係合されるまで、スリットの下に動くことができ、それによりロックタブの横の動きを制限して、第２パネルと重ねパネル間のヒンジ状の接続部の範囲内でロックタブの頭部と肩部を捕える。
【００１５】
この実施形態においては、位置合せタブは、ロックスリットに隣接し、そして、位置合せフラップの末端部の一部として形作られる。位置合せレセプタクルは、ロックタブのネックに、少なくとも部分的に、形成される。また、ロックタブ及びロックスリットは、キャリヤーの直立の間、または、それの前に、嵌め合い的に係合されることができる。キャリヤー・パネルがキャリヤーを形成するために直立されるとき、位置合せフラップの末端部から延在する位置合せタブは位置合せレセプタクルにスライドし、位置合せフラップの残りの末端部はロックタブのネックに対して突き当り、それは横の運動に関してロックタブとスリットと重ねパネルの相対的な位置を固定する。
【００１６】
様々な実施形態の別の態様によれば、連結配置の要素の全ては、折り畳まれるか、さもなければ、インターロックするプロセスの間に、キャリヤーの外側に関して、同じ一般的な方向に（すなわち、内側に、または、外側に）、移動される。これは、容器グループの周りにキャリヤーを固定するために内側及び外側の両方に折ることができる包装機械の必要なしに、有利に巻き付きキャリヤー・パッケージの組立てを可能にする。それどころか、本願発明は、最小限の設備の入れ替え及び再構成で、単一の機械でしばしば複数の構成、包装タイプと容器を稼働させる、最新の包装プロセスで、特に役に立つ。
【００１７】
連結配置は、例えば巻き付けキャリヤーのような、カートンを形成するために、ブランクにおいて形作られる。そのようなブランクは、ブランクの長さに沿ってヒンジ状にお互いに接続しているいくつかのパネルを含むことができ、それらは、重ねパネルに横の折り目線に沿ってヒンジ状に接続される第２横パネル、第２横パネルに横の折り目線に沿ってヒンジ状に接続されるトップパネル、トップパネルに横の折り目線に沿ってヒンジ状に接続される第１横パネル、第１サイドパネルに横の折り目線に沿ってヒンジ状に接続される底部パネルを含む。
【００１８】
ここに記載される実施形態において、第１パネルは底パネルであり、そして、第２パネルは第２横パネルであるが、しかし、第１及び第２のパネルの各々はブランクの他のどのパネルにも接続されるべき任意のパネルでありうる。
【００１９】
前に示されているのは、本願発明のいくつかの態様及び特徴を広く概説したものであり、それは単に本発明の様々な潜在的な用途の例示と解釈されるべきものである。他の有益な結果は、開示された情報を異なる方法で適用することによって、又は、開示された実施形態を修正することにより、得られることができる。したがって、本発明の他の態様とより完全な理解は、請求項によって定義される本発明の範囲に加えて、添付の図面とともにされる典型的な実施形態の詳細な説明を参照することによって得られることができる。
【図面の簡単な説明】
【００２０】
【図１】本願発明による連結配置の第１の典型的な実施形態を取り入れているキャリヤーブランクの平面図である。
【図２】図１の連結配置の部分的な平面図である。
【図３】図１のキャリヤーブランクのパネルをつなぐために図１に図示される連結配置を操作する典型的な方法を例示する。
【図４】図１のキャリヤーブランクのパネルをつなぐために図１に図示される連結配置を操作する典型的な方法を例示する。
【図５】図１のキャリヤーブランクのパネルをつなぐために図１に図示される連結配置を操作する典型的な方法を例示する。
【図６】図１のキャリヤーブランクのパネルをつなぐために図１に図示される連結配置を操作する典型的な方法を例示する。
【図７】図１のキャリヤーブランクのパネルをつなぐために図１に図示される連結配置を操作する典型的な方法を例示する。
【図８】図１のキャリヤーブランクのパネルをつなぐために図１に図示される連結配置を操作する典型的な方法を例示する。
【図９】図１のキャリヤーブランクのパネルをつなぐために図１に図示される連結配置を操作する典型的な方法を例示する。
【図１０】図１のキャリヤーブランクのパネルをつなぐために図１に図示される連結配置を操作する典型的な方法を例示する。
【図１１】図１のキャリヤーブランクのパネルをつなぐために図１に図示される連結配置を操作する典型的な方法を例示する。
【図１２】図１のキャリヤーブランクのパネルをつなぐために図１に図示される連結配置を操作する典型的な方法を例示する。
【図１３】図１のキャリヤーブランクのパネルをつなぐために図１に図示される連結配置を操作する典型的な方法を例示する。
【図１４】本願発明による連結配置の第２の典型的な実施形態によるキャリヤーブランクの平面図である。
【図１５】図１４の連結配置の部分的な平面図である。
【図１６】図１５のキャリヤーブランクのパネルを接続するために図１６に図示される連結配置を操作する典型的な方法を例示する。
【図１７】図１５のキャリヤーブランクのパネルを接続するために図１６に図示される連結配置を操作する典型的な方法を例示する。
【図１８】図１５のキャリヤーブランクのパネルを接続するために図１６に図示される連結配置を操作する典型的な方法を例示する。
【図１９】図１５のキャリヤーブランクのパネルを接続するために図１６に図示される連結配置を操作する典型的な方法を例示する。
【図２０】図１５のキャリヤーブランクのパネルを接続するために図１６に図示される連結配置を操作する典型的な方法を例示する。
【図２１】図１５のキャリヤーブランクのパネルを接続するために図１６に図示される連結配置を操作する典型的な方法を例示する。
【図２２】図１５のキャリヤーブランクのパネルを接続するために図１６に図示される連結配置を操作する典型的な方法を例示する。
【発明を実施するための形態】
【００２１】
必要に応じて、本願発明の詳細な実施形態が、ここに開示される。開示された実施形態は、様々に及び代わりの形態で具体化されることができる本発明の態様を例示する単なる例示であることが理解されよう。図面は必ずしも一定の比率であるというわけではなく、そして、幾つかの特徴は誇張されているかもしれず、又は特定の構成要素の詳細を示すために小さくされているかもしれない。他には、周知な材料または方法は、本願発明を不明確にすることを避けるために詳細に記載していない。したがって、ここに開示される特定の構造的及び機能的な詳細は、限定としてではなく、請求項の基礎として及び本願発明を様々に用いるために当業者に教示するための基礎として、解釈されるべきである。
【００２２】
様々な実施形態は、ボトルのためのキャリヤーとしてここに記載されるが、本発明の教示は、いくつものコンテナーに適用でき、それはテーパー形状及び／又は円筒形であることもでき、そうでないこともでき、以下のように、プラスチック、金属、又はガラスのボトル、缶、ボウリングのボトル、キャンディ、又はそのようなキャリヤーが適当である他の任意の物品を含むが、これらに限られるものではない。ここに使われているように、「ネック」という語は容器の上側部分を言及し、そして、「ネックの」という語はネックを有する物品を記述するのに用いられる。容器のネックは、物品の本体の任意の部分に関してテーパーされていることができるが、しかし、必ずしもそうであるというわけではない。ここに使われるように、ヒールという語は、飲料容器（例えば、ボトル）で最も下側の部分を指し、特にその本体（容器の主要な内容物を含む部分）がそのベース（容器の支持面）にカーブし始める部分を指す。
【００２３】
ここで、図面において、幾つかの図を通じて、類似の数字は類似の要素を現わすことを述べる。図１は、本願発明に従ったインターロック配置体の１つの実施形態を具現化するキャリヤーを形成するためのカートンブランク１０（「ブランクの」）を例示する。ブランク１０は、ボール紙、プラスチックまたは他の任意の望ましい材料の基体から作られることができる。基体の一以上の表面は、望ましいパッケージ特性を達成するためにコートされ、塗られ、印刷され、又は処理されることができる。たとえば、広告が基体の一方または両方の側面に塗られることができ、そして、耐水性又は防水シーラントが基体側面の一つ又はそれ以上に塗られることができる。そのように、ブランク１０は液体の内容物を保持する容器を運ぶための二次包装として、巻き付きキャリヤーに作られることができる。他の実施形態が、図１５−２２に示され、それらは、下に詳細に記載される。
【００２４】
ブランク１０は、実質的に単一又は複合の折り畳み可能なシート材料、例えばボール紙、ダンボール、透明又は不透明なプラスチック、積層品、そのどんな組合せでも、またはその種の他のものから切られるか、形成される。ブランク１０は、横断線に沿ってお互いにヒンジ状に接続しているいくつかのパネルを含む。より詳しくは、ブランク１０は、示されている実施形態において、第１横パネル１０４に折り目線１０６に沿ってヒンジ状に取り付けられるトップパネル１０２を含む。同様に、ブランク１０は、トップパネル１０２に折り目線１１０に沿ってヒンジ状に接続される第２横パネル１０８を含む。第１横パネル１０４は、底部パネル１１２に折り目線１１４に沿ってヒンジ状に接続される。第２横パネル１０８は、重ねパネル１１６に折り目線１１８に沿ってヒンジ状に接続される。示される実施形態において、各々の横パネル１０４、１０８は、等高線折り目線１０５、１０９によって形作られる２つのセクション１０４ａ／１０４ｂ，１０８ａ／１０８ｂを含み、それは、意図された容器の肩（もしあれば）の高さのすぐ近くに水平に配置される。任意選択的に、トップパネル１０２は、組ハンドル開口Ｈを含む。
【００２５】
ブランク１０は、また多くの任意選択の端部フラップを含む。具体的には、底端部フラップ１３２ａ／１３２ｂは、底部パネル１１２の対向した縦縁に、折り目線１３１ａ／１３１ｂに沿って、ヒンジ状に接続される。下側横端部フラップ１３４ａ／１３４ｂは、下側横パネル１０４ｂの対向した縦縁に、折り目線１３３ａ／１３３ｂに沿って、ヒンジ状に接続される。トップ端部フラップ１３６ａ／１３８ｂは、トップパネル１０２の対向した縦縁に、折り目線１３５ａ／１３５ｂに沿って、ヒンジ状に接続される。トップ端部フラップ１３６ａ／１３６ｂは、上側パネル１０４ａ、１０８ａ、にも接続される水かき部分を含むことができる。下側横端部フラップ１３８ａ／１３８ｂは、下側横パネル１０８ｂの対向した縦縁に、折り目線１３７ａ／１３７ｂに沿って、ヒンジ状に接続される。
【００２６】
連結配置の最初の実施形態の要素は、ブランク１０から始まる。詳しくは、そして、また、図２の詳細な図を参照して、ブランク１０は、３つのロックタブ装置１２０、１２２、１２４を含み、それらは、各々、折り目線１４１に沿って底部パネル１１２にヒンジ状に接続しているロックタブ１４０、底部パネル１１２に折り目線１４４に沿ってヒンジ状に接続される位置合せタブ１４２、及び位置合せタブ１４２の遠位端部を形作る捕獲スロット１４６を含む。位置合せタブ１４２は、細長い形で、わずかに台形である。近位端部は折り目線１４１から間隔をあけられる一方、その遠位端部はわずかに折り目線１４１を越えて、そして、ロックタブ１４０のネック部分１５６の上に延在する。ロックタブ１４０が底部パネル１１２から離れて延在するので、ロックタブ１４０の頭部分１５１は、折り目線１４１で、又はその近くに、配置されるネック部分１５６よりかなり広く、肩部１５０、１５２はロックタブ１４０の頭部とネック部分１５１、１５８の間で形作られるようにする。
【００２７】
ブランクの対向端部に、３つのスリット装置１２６、１２８、１３０が、横パネル１０８の縁部に沿って、重ねパネル１１８中に、形成される。各々のスリット装置１２６、１２８、１３０は、ロックスリット１６０、拡張スリット１６２と位置合せレセプタクル１６４を含む。ロックスリット１６０は第２横パネル１０８の前縁に沿って形成されて、第２横パネル１０８を重ねパネル１１８にヒンジ状に接続する折り目線１１８に実質的に位置合せされるが、しかし、示されるように、ロックスリット１６０はいくぶんカーブすることができる。
【００２８】
当業者は、ロックタブ装置及びロックスリット装置の数及び配置は、パッケージ・サイズ、容器サイズ、パッケージ重量、基体の強度、などを含む多くのパラメータによって決定される設計事項であることがすぐに理解することができる。保持構造の全ては、関連した部分で実質的に同一であるので、教示の、及び限定ではない目的のために、連結配置のうちの１つの構成要素が記載される。
【００２９】
インターロック配置は、以下のように操作される。ブランク１０が（図示されていない）容器グループを包んだ後、横パネル１０８と重ねパネル１１６の端部縁は底パネル１１２の端部縁の近くに持ってこられる。特に図３−５を参照して、ロックタブ１４０は、ロックスリット１６０の方へ推進され、位置合せタブ１４２は折り目線１４１に沿って内側に折られ、そして、ラップパネル１１６も折り目線１１８に沿って内側に折られる。位置合せタブ１４２が折り畳まれる程度は、位置合せタブ１４２の遠位端部が重ねパネル１１６の下で、そして、より詳しくは、位置合せレセプタクル１６４（図２と８に最もよく示される）中にスライドすることを確実とするように選ばれる。この装置の切断図は、図５で示され、各々の要素の回転は、教示の且つ限定でない目的のために誇張されうる。位置合せタブ１４２が位置合せレセプタクル１６４の近位縁部の下でスライドして、ロックタブ１４０はロックスリット１６０に入るので、図６−８で示されているように、重ねパネル１１６とロックタブ１４０は解放されて、そして、全ての要素は図５の切断図に示される配置に少なくとも幾分か係合される。インターロック配置により一部の歪曲が特定の要素を上げるか下げるかもしれないが、パネル１０８、１１２は実質的に同じ平面に配置される。
【００３０】
横パネル１０８及び底パネル１１２は、次いで角ばった関係に持ってこられ、すなわち、パネル１０８が底パネル１１２に関して垂直に延在するまで、パネル１０８は折り目線１１８のまわりで回転される。この配置は、底パネル１１２の透視から、図１０に示される。そうする際に、位置合せタブ１４２は、位置合せレセプタクル１６４の縦の縁部の間に、そして、位置合せレセプタクル１６４の近位縁部の下に配列され、そして、位置合せタブ１４２の遠位端部は捕獲スロット１４６に入る。捕獲スロット１４６にはめ込むために、位置合せタブ１４２の遠位端部は、拡張スリット１６２を少なくとも部分的にこじ開けることができ、捕獲スロット１４６に沿って形成された拡張タブ１４８も動かすことができる。位置合せタブ１４２のこの下及び上配置は、位置合せタブ１４２の遠位端部が捕獲スロット１４６に固定されることに繋がり、そして、それは本質的に、平面ブランク１０に位置合せタブ１４２の遠位端部を定めた切断線である。図１１、１２及び１３は、位置合せタブ１４２の下及び上配置を評価するために特に良い図を提供する
【００３１】
アセンブリの様々な要素に関する横の運動は、位置合せレセプタクル１６４の横縁部で位置合せタブ１４２の横縁部の係合、折り目線１１８に対し並びにスリット１６０の縁部内の肩部１５０、１５２の係合と組み合わされ、捕獲スロット１４６の位置合せタブ１４２の遠位端部の受容とさらに組み合わされることにより実質的に除去される。
【００３２】
インターロック配置を操作する方法に関して記載されるステップは、必ずしも特定の順序で示されなければならないことはなく、幾つかの又は全てのステップの実行は、代わりの順序で可能であり、考えられる。ステップは、説明及び例示の容易さのために、確かめられた順序で示された。ステップは、添付された請求項の範囲から離れることなく、追加されることができ、省略されることができ、及び／又は、同時に実行されることができる。
【００３３】
本願発明のロック配置の第２実施形態は、図１４−２２に示される。図１４に示される典型的なブランク２０は、以下の差異で、図１のブランク１０と実質的に同一である。ブランク２０は、各々が折り目線１４１に沿って底パネル１１２にヒンジ状に接続しているロックタブ２４０と位置合せレセプタクル２６４を含む３つのロックタブ装置２２０、２２２、２２４を含む。ロックタブ２４０が底パネル１１２から離れて延在するので、ロックタブ２４０は、折り目線１４１で、又はその近くで、配置されるネック部分２５６よりかなり幅広く、肩部２５０、２５２はロックタブ２４０の頭及びネック部分２５１，２５６の間で形作られるようにする。実際、ロックタブ２４０は実質的に台形であるが、しかし、肩部を備えた他の形状が考えられる。位置合せレセプタクル２６４は、わずかに折り目線１４１を越えて延在し、ロックタブ２４０のネック部分１５６の上に延在する。
【００３４】
ブランクの対向側で、３つのスリット装置２２６、２２８、２３０は、横パネル１０８の縁部に沿って、並びに、横パネル１０８に折り目線１１８に沿ってヒンジ状に接続される重ねパネル２１６に形成される。各々のスリット装置２２６、２２８、２３０は、ロックスリット２６０、位置合せフラップ２６２と位置合せタブ２４２を含む。ロックスリット２６０は、第２横パネル１０８の前縁に沿って形成され、第２横パネル１０８を重ねパネル１１６にヒンジ状に接続する折り目線１１８に、実質的に位置合せされる。位置合せフラップ２６２は、台形の形状であり、その最も広い側が位置合せフラップ２６２を重ねパネル２１６にヒンジ状に接続する折り線２６３に沿って配置され、その最も狭い側は、ロックスリット２６０に沿って定められた遠位端２６８であり、位置合せフラップ２６２の遠位端２６８から延在する位置合せタブ２４２を備える。折り目線２６３によって形作られる、位置合せフラップ２６２の近位端は、重ねパネル１１６の自由縁部から離れている。
【００３５】
この実施形態において、ロックタブ２４０と位置合せフラップ２６２の寸法及び形は相補的であるように選ばれ、アセンブリの操作に関してそれが記載される。特に、ロックタブ２４０のネック２５６の幅は、位置合せフラップ２６２の遠位端の長さに、実質的に等しいか、わずかに短く、そして、位置合せフラップ２６２の遠位端の長さは、同一の外延のロックスリット２６０と実質的に同じである。
【００３６】
第２の典型的なインターロック配置は、以下のように操作される。ブランク２０が容器グループ（図示せず）を包んだ後、横パネル１０８と重ねパネル１１６の端縁部は底パネル１１２の端縁部の近くに持ってこられる。特に図１６−１９を参照して、重ねパネル２１６は、折り目線１１８に沿って内側に折られて、それは位置合せフラップ２６２の遠位端を自由にし、ロックスリット２６０を開ける。位置合せフラップ２６２は、折り目線２６３に沿っても内側に折り畳むことができる。ロックタブ２４０は、図１７で示すように、ロックスリット２６０の方へ推進されて、それによって、おそらく、しかし、必然的にでないが、接触する面がスライドする配置に、位置合せフラップ２６２の上に横たわるようになる。
【００３７】
上で述べられているように、ロックタブ２４０と位置合せフラップ２６２はサイズと形の点で同様であり、位置合せフラップ２６２は、適合するが狭い傾斜体として機能するようにし、それはロックタブ２４０の（折り目線１４１に近い）入り口の点で十分に幅広く、肩部２５０、２５２が位置合せフラップ２６２の移動により形成された開口部の横縁部２４６を通過するのを許すようにし、肩部２５０、２５２がそれから（図１８で示すように）ロックスリット２６０の端縁部により捕えられることができるようにする。そのように、ロックタブ２４０がロックスリット２６０に向けて引かれる際、ロックタブ２４０は、位置合せフラップ２６２に沿って、又は独立して、内側に折り畳まれることができる。位置合せフラップ２６２とロックタブ２４０が折り畳まれる程度は、ロックタブ２４０がロックスリット２６０に安全に入ること及びロックスリット２６０への肩部２５０、２５２の保持を確実にするように選ばれる。
【００３８】
一旦ロックタブ２４０がしっかりと受容され、ロックスリット２６０に固定されると、位置合せタブ２４２は（最もよく図１５と１７に示される）位置合せレセプタクル２６４に登録される。ロックタブ２４０が位置合せフラップ２６２をスライドして、ロックスリット２６０に入るので、重ねパネル１１６とロックタブ１４０は、機械要素により内側にもはや積極的に折られず、全ての要素は、図１９と２０に示される配列で、少なくとも幾分か係合される。パネル１０８、１１２は実質的に同じ平面に配置されているが、しかし、一部の歪曲はインターロック配置により特定の要素を上げ下げするかもしれない。
【００３９】
横パネル１０８と底パネル１１２は、それから角ばった関係に持ってこられ、すなわち、パネル１０８が底パネル１１２に関して垂直に延在するまで、パネル１０８は折り目線１１８のまわりで回転される。位置合せタブ１４２は、位置合せレセプタクル２６４に押し込まれて、遠位端２６８がロックタブ２４０のネック２５６で折り目線１４１に対して上に突き当たる。
【００４０】
ロックしているアセンブリの第２実施形態の様々な要素に関する横の運動は、位置合せレセプタクル２６４の縁部と位置合せタブ２４２の横縁部との係合、折り目線１１８に対して、そして、スリット２６０の縁部の範囲内で、肩部２５０、２５２との係合と組み合わされ、横縁部２４６の最も狭い範囲でネック部２５６の係合とさらに組み合わされることによって実質的に除去される。
【００４１】
当業者は、各ブランク１０と２０が自動又は手動手段を使用して直立されることができることをすぐに理解できる。
【００４２】
本願発明は、あらゆる点で、制限的であるよりも例示的であることを意図して特定の実施形態関して例示された。当業者は、本発明の範囲から逸脱することなく本願発明は多くの修正変更ができることを理解できるであろう。例えば、ここに使用されるように、「トップ」、「ベース」「底」、「端」で、「横（側）」、「内」、「外」、「上側」、「中央」、「下側」、「前」と「後」のような方向的な言及は、そのような方向に関して限定しているのではなく、単にこれらのパネルとお互いを区別するのに役立てるだけのものである。ヒンジ状接続へのいかなる言及も、必ずしも単一の折り返し線のみを言及するものとして解釈されてはならない。実際、ヒンジ状接続は、発明の範囲から離れることなく、以下の、割線、壊れ線又は折り目線の一つ又はそれ以上から形成されることができると想定される。当業者は、キャップ、ヒール及びハンドル開口部及びハンドルの形状及び寸法は、本発明の様々な実施形態の実装に適した様々な構成の実施例にすぎないことも認める。
【００４３】
様々な変更が本願発明の範囲内でされることができることを理解されるべきであり、たとえば、パネルと開口の寸法と形は、異なる寸法又は形の物品を収めるように調整されることができ、そして、連結配置の要素のために他の形、寸法及び構成が使われることができる。キャリヤーは、複数の列または階層を含む、異なる配置に、一以上の物品を収めることができる。
【符号の説明】
【００４４】
１０  ブランク
２０  ブランク
１０２  トップパネル
１０４  第１横パネル
１０４ａ／１０４ｂ  セクション
１０５  等高線折り目線
１０８  第２横パネル
１０８ａ／１０８ｂ  セクション
１０９  等高線折り目線
１１０  折り目線
１１２  底部パネル
１１４  折り目線
１１６  重ねパネル
１１８  折り目線
１２０、１２２、１２４  ロックタブ装置
１２６、１２８、１３０  スリット装置
１３１  ａ／１３１  ｂ  折り目線
１３２ａ／１３２ｂ  底端部フラップ
１３３ａ／１３３ｂ  折り目線
１３４ａ／１３４ｂ  下側横端部フラップ
１３５ａ／１３５ｂ  折り目線
１３６ａ／１３６ｂ  トップ端部フラップ
１３７ａ／１３７ｂ  折り目線
１３８ａ／１３８ｂ  下側横端部フラップ
１４１  折り目線
１４０  ロックタブ
１４２  位置合せタブ
１４６  捕獲スロット
１４８  拡張タブ
１５０、１５２  肩部
１５１  頭部分
１５６  ネック部分
１６０  ロックスリット
１６２  拡張スリット
１６４  位置合せレセプタクル
２２０、２２２、２２４  ロックタブ装置
２２６、２２８、２３０  スリット装置
２４０  ロックタブ
２４２  位置合せタブ
２４６  開口部の横縁部
２５０  肩部
２５１  頭部分
２５２  肩部
２５６  ネック部分
２６０  ロックスリット
２６２  位置合せフラップ
２６３  折り目線
２６４  位置合せレセプタクル
２６８  遠位端
【図１】
2013537157.tif 000003
【図２】
2013537157.tif 000004
【図３】
2013537157.tif 000005
【図４】
2013537157.tif 000006
【図５】
2013537157.tif 000007
【図６】
2013537157.tif 000008
【図７】
2013537157.tif 000009
【図８】
2013537157.tif 000010
【図９】
2013537157.tif 000011
【図１０】
2013537157.tif 000012
【図１１】
2013537157.tif 000013
【図１２】
2013537157.tif 000014
【図１３】
2013537157.tif 000015
【図１４】
2013537157.tif 000016
【図１５】
2013537157.tif 000017
【図１６】
2013537157.tif 000018
【図１７】
2013537157.tif 000019
【図１８】
2013537157.tif 000020
【図１９】
2013537157.tif 000021
【図２０】
2013537157.tif 000022
【図２１】
2013537157.tif 000023
【図２２】
2013537157.tif 000024
【国際調査報告】
2013537157.tif 000025
2013537157.tif 000026
2013537157.tif 000027